(57)【特許請求の範囲】
【請求項１】
対向部材との間に隙間を成す取付対象部材にワイヤーハーネスを固定するためのクリップであって、
前記ワイヤーハーネスを保持する保持部と、
前記取付対象部材の取付貫通孔に挿入される挿入部と、
前記挿入部における前記取付貫通孔への挿入側から延びる複数の脚部と
を備え、
前記複数の脚部には、複数の第１ロック部がそれぞれ設けられ、
前記挿入部には、前記複数の第１ロック部とそれぞれ嵌合係止する複数の第２ロック部が設けられ、
前記対向部材に前記複数の脚部が押し付けられながら前記挿入部が前記取付貫通孔に挿入されると、前記対向部材に前記複数の脚部が押し付けられることによって前記複数の足部の先端が外側に開くことによって、先端が外側に開いた前記複数の脚部が前記隙間に入り込んだ状態で前記複数の第１ロック部と前記複数の第２ロック部とがそれぞれ嵌合係止する、クリップ。
【請求項２】
請求項１に記載のクリップであって、
前記複数の第１ロック部のそれぞれは、嵌合突起部であって、
前記複数の第２ロック部のそれぞれは、少なくとも前記挿入部における前記取付貫通孔への挿入側に開口する、前記嵌合突起部と嵌合係止する嵌合穴である、クリップ。
【請求項３】
請求項１及び請求項２のいずれか一つに記載のクリップであって、
前記複数の脚部のそれぞれでは、当該脚部の先端部の内側が、当該脚部の先端から付け根に向かってＲ曲面となっている、クリップ。
【請求項４】
請求項１乃至請求項３のいずれか一つに記載のクリップであって、
前記複数の脚部のそれぞれでは、当該脚部の付け根部分の外側及び内側がくびれている、クリップ。
【請求項５】
請求項１乃至請求項４のいずれか一つに記載のクリップと、
前記クリップが取り付けられたワイヤーハーネスと
を備える、クリップ付きワイヤーハーネス。
【発明の詳細な説明】
【技術分野】
【０００１】
本発明は、ワイヤーハーネスを取付対象部材に固定する技術に関する。
【背景技術】
【０００２】
特許文献１，２にも記載されているように、ワイヤーハーネスを取付対象部材に固定するためのワイヤーハーネス用のクリップ（「クランプ」とも呼ばれる）に関して従来から様々な技術が提案されている。
【０００３】
また特許文献３には、インシュレータ等のパネルを車体等に固定するためのクリップが開示されている。また特許文献４には、被組付体に対して取付材を固定するためのクリップであって、当該被組付体及び当該取付材を貫通するクリップが開示されている。
【先行技術文献】
【特許文献】
【０００４】
【特許文献１】特開平１０−２８５７５９号公報
【特許文献２】特開２００９−２０７２３３号公報
【特許文献３】実開平５−２２８１８号公報
【特許文献４】実開平５−５７４１２号公報
【発明の概要】
【発明が解決しようとする課題】
【０００５】
特許文献１にも記載されているように、ワイヤーハーネス用のクリップでは、アンカー部（「クリップヘッド」とも呼ばれる）を取付対象部材の取付貫通孔に挿入して係止させることによって、当該クリップが当該取付対象部材に取り付けられることがある。
【０００６】
一方で、取付対象部材におけるアンカー部の挿入側とは反対側において、当該取付対象部材と隙間を空けて対向する対向部材が存在することがある。このような場合において、取付対象部材と対向部材との間の隙間が狭いときには、クリップのアンカー部が取付対象部材の取付貫通孔に係止する前に対向部材に当たってしまい、クリップを取付対象部材に取り付けることができないことがある。
【０００７】
そこで、本発明は上述の点に鑑みて成されたものであり、取付対象部材とそれに対向する対向部材との間の隙間が狭い場合であっても、当該取付対象部材にクリップを取り付けることが可能な技術を提供することを目的とする。
【課題を解決するための手段】
【０００８】
第１の態様に係るクリップは、対向部材との間に隙間を成す取付対象部材にワイヤーハーネスを固定するためのクリップであって、前記ワイヤーハーネスを保持する保持部と、前記取付対象部材の取付貫通孔に挿入される挿入部と、前記挿入部における前記取付貫通孔への挿入側から延びる複数の脚部とを備え、前記複数の脚部には、複数の第１ロック部がそれぞれ設けられ、前記挿入部には、前記複数の第１ロック部とそれぞれ嵌合係止する複数の第２ロック部が設けられ、前記対向部材に前記複数の脚部が押し付けられながら前記挿入部が前記取付貫通孔に挿入されると、前記対向部材に前記複数の脚部が押し付けられることによって前記複数の足部の先端が外側に開くことによって、先端が外側に開いた前記複数の脚部が前記隙間に入り込んだ状態で前記複数の第１ロック部と前記複数の第２ロック部とがそれぞれ嵌合係止する。
【０００９】
第２の態様に係るクリップは、第１の態様に係るクリップであって、前記複数の第１ロック部のそれぞれは、嵌合突起部であって、前記複数の第２ロック部のそれぞれは、少なくとも前記挿入部における前記取付貫通孔への挿入側に開口する、前記嵌合突起部と嵌合係止する嵌合穴である。
【００１０】
第３の態様に係るクリップは、第１及び第２の態様のいずれか一つに係るクリップであって、前記複数の脚部のそれぞれでは、当該脚部の先端部の内側が、当該脚部の先端から付け根に向かってＲ曲面となっている。
【００１１】
第４の態様に係るクリップは、第１乃至第３の態様のいずれか一つに係るクリップであって、前記複数の脚部のそれぞれでは、当該脚部の付け根部分の外側及び内側がくびれている。
【００１２】
第５の態様に係るクリップ付きワイヤーハーネスは、第１乃至第４の態様のいずれか一つに係るクリップと、前記クリップが取り付けられたワイヤーハーネスとを備える。
【発明の効果】
【００１３】
第１乃至第５の態様によれば、対向部材に複数の脚部が押し付けられながら挿入部が取付対象部材の取付貫通孔に挿入されると、外側に開いた複数の脚部が取付対象部材と対向部材との間の隙間に入り込んだ状態で複数の第１ロック部と複数の第２ロック部とがそれぞれ嵌合係止する。そのため、クリップを取付対象部材に取り付ける際には、取付対象部材とそれに対向する対向部材との間には、脚部が入り込めるだけの隙間があれば良い。よって、取付対象部材と対向部材との間の隙間が狭い場合であっても、クリップを取付対象部材に取り付けることができる。
【００１４】
さらに、クリップを取付対象部材に取り付ける際には、挿入部が取付対象部材の取付貫通孔に挿入され、取付貫通孔に挿入された複数の脚部が開いて取付対象部材と対向部材との間の隙間に入り込めば良いことから、取付貫通孔の径にそれほどとらわれず、クリップを取付対象部材に取り付けることが可能となる。
【００１５】
特に第３の態様によれば、脚部の先端部の内側が、当該脚部の先端から付け根に向かってＲ曲面となっているため、脚部が外側に開く際に対向部材上を滑りやすくなる。したがって、脚部が取付対象部材と対向部材との間の隙間内に滑り込みやすくなる。よって、脚部を対向部材にそれほど押し付けることなく簡単に脚部を開くことができる。
【００１６】
特に第４の態様によれば、脚部の付け根部分の外側及び内側がくびれていることから、脚部が開きやすくなる。よって、脚部を対向部材にそれほど押し付けることなく簡単に脚部を開くことができる。
【図面の簡単な説明】
【００１７】
【図１】クリップを示す斜視図である。
【図２】クリップを示す側面図である。
【図３】クリップを示す側面図である。
【図４】取付対象部材と対向部材の断面構造を示す図である。
【図５】クリップ付きワイヤーハーネスを示す側面図である。
【図６】第１ロック部を示す斜視図である。
【図７】第２ロック部を示す斜視図である。
【図８】クリップを取付対象部材に取り付ける方法を説明するための図である。
【図９】クリップを取付対象部材に取り付ける方法を説明するための図である。
【図１０】クリップを取付対象部材に取り付ける方法を説明するための図である。
【図１１】クリップを取付対象部材に取り付ける方法を説明するための図である。
【図１２】第１ロック部が第２ロック部に嵌合する様子を示す図である。
【図１３】第１ロック部と第２ロック部とが嵌合係止している状態を示す図である。
【発明を実施するための形態】
【００１８】
図１は実施の形態に係るクリップ１を示す斜視図であって、図２，３は当該クリップ１を示す側面図である。図２は、図１に示されるクリップ１を矢視Ａから見た際の当該クリップ１の側面図である。図３は、図１に示されるクリップ１を矢視Ｂから見た際の当該クリップ１の側面図である。本実施の形態に係るクリップ１は、対向部材３００との間に隙間４００を成す取付対象部材２００にワイヤーハーネス１００を固定するためのクリップである。ワイヤーハーネス１００は、複数の電線から成る電線束で構成されている。
【００１９】
図４は、取付対象部材２００と、取付対象部材２００に対してそれとの間で隙間４００を成すように対向配置された対向部材３００との一例を示す図である。図４の例では、取付対象部材２００及び対向部材３００のそれぞれは板状部材である。図４では、取付対象部材２００及び対向部材３００の厚み方向における断面構造が示されている。
【００２０】
取付対象部材２００及び対向部材３００は、例えば、自動車等の車両内に配置されている。ワイヤーハーネス１００は車両内に配策される際にクリップ１が使用されて取付対象部材２００に固定される。
【００２１】
取付対象部材２００には、その厚み方向に貫通する取付貫通孔２０１が設けられている。図４では、取付貫通孔２０１での取付対象部材２００の断面構造が示されている。この取付貫通孔２０１が利用されて、ワイヤーハーネス１００を保持したクリップ１が取付対象部材２００に取り付けられる。対向部材３００は、取付貫通孔２０１と対向するように配置されている。したがって、取付対象部材２００を対向部材３００とは反対側から見ると、取付貫通孔２０１から対向部材３００が見えるようになっている。
【００２２】
このような取付対象部材２００に対して上記の特許文献１のようなクリップを取り付ける場合、取付貫通孔２０１にアンカー部が差し込まれる。このとき、取付対象部材２００（取付貫通孔２０１）と対向部材３００との間の隙間４００が狭い場合には、アンカー部の先が対向部材３００に当たってしまい、アンカー部を取付貫通孔２０１に係止することができない。したがって、取付対象部材２００にワイヤーハーネス１００を固定することができない。
【００２３】
そこで、本実施の形態では、対向部材３００と取付対象部材２００との間の隙間４００が狭い場合であっても、ワイヤーハーネス１００を取付対象部材２００に固定することが可能なクリップ１を提供する。
【００２４】
図１〜３に示されるように、クリップ１は、ワイヤーハーネス１００を保持する保持部２と、取付貫通孔２０１に挿入される挿入部である基部３と、基部３から延びる複数の脚部４とを備えている。保持部２と、基部３と、複数の脚部４とは、一体成形されている。本実施の形態では、クリップ１には例えば二つの脚部４が設けられている。
【００２５】
保持部２は、例えば、一方向に長い板状部分であって、ワイヤーハーネス１００が固定される第１主面２０と、当該第１主面２０とは反対側の第２主面２１とを有している。ワイヤーハーネス１００は、保持部２の第１主面２０に当てられた状態で当該保持部２と一緒に粘着テープが巻き付けられる。これにより、保持部２にワイヤーハーネス１００が固定されて、保持部２はワイヤーハーネス１００を保持する。保持部２の第２主面２１における、当該保持部２の長手方向の一方の端部上には、保持部２に巻き付けられた粘着テープがずれて当該保持部２から外れることを防止するための突起部２２が設けられている。
【００２６】
基部３は、例えば直方体形状を成しており、保持部２の第２主面２１上に設けられている。基部３は、保持部２の長手方向の中心よりも、保持部２における、突起部２２が設けられた端部とは反対側の端部側に設けられている。基部３は、保持部２と繋がった面とは反対側の面３０から取付対象部材２００の取付貫通孔２０１に挿入される。以後、当該面３０を「挿入側主面３０」と呼ぶ。
【００２７】
保持部２では、突起部２２と基部３との間の部分に対して粘着テープが巻き付けられる。図５はワイヤーハーネス１００とともに保持部２に対して粘着テープ１１０が巻き付けられている様子を示す図である。つまり、図５はクリップ付きワイヤーハーネス１００を示す図である。
【００２８】
各脚部４は、基部３の挿入側主面３０から保持部２とは反対側に延びている。つまり、各脚部４は、基部３における取付貫通孔２０１への挿入側から保持部２とは反対側に延びている。各脚部４は、やや外側に向かって基部３から延びている。よって、二つの脚部４は、その付け根から先端に向かうほど、互いに離れていくようになっている。
【００２９】
二つの脚部４は、それぞれ板状部分であって、それらの一方の主面４０が、保持部２の長手方向に沿って対向するように配置されている。各脚部４は、その中央部よりもやや下側から先端にかけて外側に少し湾曲してる。各脚部４の先端部４２の厚みは、先端に向かうほど薄くなっており、各脚部４の先端は線状となっている。以後、脚部４の一方の主面４０を「内側主面４０」と呼び、脚部４における、一方の主面４０とは反対側の主面４１を「外側主面４１」と呼ぶ。各脚部４では、先端部４２の内側が、当該脚部４の先端から付け根に向かって内側に膨らんだＲ曲面４２０となっている。つまり、各脚部４では、内側主面４０の先端部分が、当該脚部４の先端から付け根に向かって内側に膨らんだＲ曲面４２０となっている。
【００３０】
また各脚部４の付け根部分には、内側及び外側にそれぞれくびれ４３，４４が設けられている。つまり、各脚部４では、内側主面４０の付け根部分にくびれ４３が設けられ、外側主面４１の付け根部分にくびれ４４が設けられている。後述するように、本実施の形態では、各脚部４が外側に開くようにして、クリップ１が取付対象部材２００に取り付けられる。クリップ１が取付対象部材２００に取り付けられた状態では、脚部４は１８０°開いた状態となる。各脚部４の付け根部分の内側及び外側にくびれ４３，４４をそれぞれ設けることによって、各脚部４が外側に開きやすくなる。
【００３１】
本実施の形態に係るクリップ１には、脚部４が１８０°開いた状態を維持するための、互いに嵌合係止する第１ロック部５及び第２ロック部６が設けられている。本実施の形態では、クリップ１には、二つの雄型の第１ロック部５と、それらとそれぞれ嵌合係止する二つの雌型の第２ロック部６とが設けられている。各第１ロック部５は、例えば嵌合突起部であって、各第２ロック部６は、例えば嵌合穴である。以後、第１ロック部５を「嵌合突起部５」と呼ぶことがある。また、第２ロック部６を「嵌合穴６」と呼ぶことがある。
【００３２】
二つの嵌合突起部５は、二つの脚部４の外側主面４１の付け根部分の少し下側（くびれ４４の少し下側）にそれぞれ設けられている。嵌合突起部５は脚部４と一体成形されている。二つの嵌合穴６は、基部３及び保持部２をそれらの厚み方向に貫通している。つまり、二つの嵌合穴６は、基部３の挿入側主面３０から保持部２の第１主面２０まで達している。二つの嵌合穴６は、保持部２の長手方向に沿って並べられている。
【００３３】
図６は嵌合突起部５を示す斜視図である。図７は嵌合穴６を示す斜視図である。図６に示されるように、嵌合突起部５は、脚部４の外側主面４１と繋がった逆円錐台部分５０と、その上の円錐部分５１とが張り合わされた構造を有しており、その高さ方向（突出方向）に沿った断面は五角形となっている。また図７に示されるように、嵌合穴６は、基部３の挿入側主面３０に向けて開口する逆円錐台穴６０と、当該逆円錐台穴６０と繋がり、保持部２の第１主面２０まで達する円柱穴６１とで構成されている。逆円錐台穴６０は、嵌合突起部５の逆円錐台部分５０に対応した形状となっている。
【００３４】
二つの脚部４が１８０°開こうとすると、当該二つの脚部４の外側主面４１に設けられた二つの嵌合突起部５は、基部３の挿入側主面３０側から二つの嵌合穴６にそれぞれ挿入されて、二つの嵌合突起部５と二つの嵌合穴６とはそれぞれ嵌合する。嵌合突起部５が嵌合穴６に挿入されると、嵌合突起部５の逆円錐台部分５０の外面と、嵌合穴６の逆円錐台穴６０の内面とが係止する。これにより、二つの脚部４が１８０°開いた状態で保持される。なお、嵌合穴６は保持部２の第１主面２０まで達していなくても良い。つまり、嵌合穴６は、少なくとも基部３における取付貫通孔２０１への挿入側に開口していれば良い。
【００３５】
次に、クリップ１を取付対象部材２００に取り付ける方法について説明する。図８〜１１は、クリップ１の取付方法を説明するための図である。クリップ１は、その基部３を取付対象部材２００の取付貫通孔２０１に挿入することによって、取付対象部材２００に取り付けられる。なお、クリップ１は、上述の図５に示されるように、保持部２でワイヤーハーネス１００を保持した状態で取付対象部材２００に取り付けられるが、図８〜１１ではワイヤーハーネス１００及びそれを固定するための粘着テープ１１０の記載は省略している。
【００３６】
クリップ１が取付対象部材２００に取り付けられる際には、図８に示されるように、各脚部４がその先端部４２から取付貫通孔２０１に挿入されていく。そして図９に示されるように、各脚部４の先端部４２が取付貫通孔２０１の奥側に位置する対向部材３００に当たるようになると、クリップ１は、基部３が挿入側主面３０から取付貫通孔２０１に挿入されるように取付対象部材２００に向けて押し込まれる。これにより、各脚部４が対向部材３００に対して押し付けられ、図１０に示されるように、各脚部４は外側に開いて取付対象部材２００と対向部材３００との間の隙間４００に入り込むようになる。各脚部４の先端部４２は、図９に示されるように、その内側のＲ曲面４２０が対向部材３００に最初に当たるようになっていることから、各脚部４が対向部材３００に押し付けられると、各脚部４は外側に開くように対向部材３００上を滑りやすくなる。よって、各脚部４は隙間４００内へ滑り込みやすくなる。
【００３７】
クリップ１が押し込まれることによって、対向部材３００に各脚部４が押し付けられながら基部３が取付貫通孔２０１に挿入されると、図１１に示されるように、二つの脚部４が１８０°開いた状態で、二つの脚部４の付け根部分の近くに設けられた二つの嵌合突起部５と二つの嵌合穴６とがそれぞれ嵌合係止する。これにより、複数の脚部４が部分的に隙間４００内に入り込んだ状態で嵌合突起部５と嵌合穴６とが嵌合係止することから、基部３が取付貫通孔２０１から抜けないようになり、クリップ１の取付対象部材２００への取り付けが完了する。
【００３８】
図１２は嵌合突起部５が嵌合穴６に挿入される様子を示す図である。図１２及び後述の図１３では、基部３、脚部４及び嵌合突起部５の断面構造が示されている。図１２に示されるように、脚部４が外側に開いてそれに取り付けられている嵌合突起部５が嵌合穴６に挿入される際には、嵌合突起部５の円錐部分５１の外面が、基部３の挿入側主面３０における、嵌合穴６の逆円錐台穴６０による開口の周縁に当たる。そして、嵌合突起部５は、円錐部分５１が当該周縁によって押しつぶされながら嵌合穴６内に進入していく。そして、嵌合突起部５のすべてが嵌合穴６に入ると、図１３に示されるように、嵌合突起部５の逆円錐台部分５０の外面と、嵌合穴６の逆円錐台穴６０の内面とが係止して、嵌合突起部５と嵌合穴６とが嵌合係止する。嵌合突起部５と嵌合穴６とが嵌合係止している状態では、図１３に示されるように、基部３の挿入側主面３０と脚部４の外側主面４１との間には隙間が無いようになっている。これにより、嵌合突起部５が嵌合穴６から抜けにくくなる。つまり、嵌合突起部５と嵌合穴６との嵌合係止が解除されにくくなる。
【００３９】
このようにして、取付対象部材２００に対して、ワイヤーハーネス１００を保持したクリップ１（図５参照）が取り付けられることによって、ワイヤーハーネス１００が取付対象部材２００に固定される。
【００４０】
以上のように、本実施の形態に係るクリップ１では、複数の脚部４が取付貫通孔２０１の向こう側の対向部材３００に押し付けられながら基部３が取付貫通孔２０１に挿入されると、外側に開いた複数の脚部４が対向部材３００と取付対象部材２００との間の隙間４００に入り込んだ状態で複数の第１ロック部５と複数の第２ロック部６とがそれぞれ嵌合係止する。したがって、クリップ１を取付対象部材２００に取り付ける際には、取付対象部材２００とそれに対向する対向部材３００との間には、脚部４が入り込めるだけの隙間４００があれば良い。よって、取付対象部材２００と対向部材３００との間の隙間４００が狭い場合であっても、クリップ１を取付対象部材２００に取り付けることができる。言い換えれば、隙間４００が狭い場合であっても、クリップ１によってワイヤーハーネス１００を取付対象部材２００に固定することができる。
【００４１】
さらに、クリップ１を取付対象部材２００に取り付ける際には、基部３が取付貫通孔２０１に挿入され、取付貫通孔２０１に挿入された複数の脚部４が開いて隙間４００に入り込めば良いことから、取付貫通孔２０１の径にそれほどとらわれず、クリップ１を取付対象部材２００に取り付けることが可能となる。つまり、一種類のクリップ１を用いて様々な径の取付貫通孔２０１に対応することができる。
【００４２】
また、本実施の形態では、脚部４の先端部４２の内側が、当該脚部４の先端から付け根に向かってＲ曲面４２０となっていることから、脚部４が外側に開く際に対向部材３００上を滑りやすくなる。したがって、脚部４が隙間４００内に滑り込みやすくなる。よって、脚部４を対向部材３００にそれほど押し付けることなく脚部４を簡単に開くことができる。
【００４３】
また、本実施の形態では、脚部４の付け根部分の外側及び内側がくびれていることから、脚部４が開きやすくなる。よって、脚部４を対向部材３００にそれほど押し付けることなく脚部４を簡単に開くことができる。
【００４４】
なお、取付貫通孔２０１は基部３が挿入できれば良いことから、その平面視形状は円、四角形、あるいは他の形状であっても良い。
【００４５】
また、上記の例では、クリップ１には二つの脚部４が設けられていたが、三つ以上の脚部４を設けても良い。
【００４６】
また、上記の例では、第１ロック部５を嵌合突起部とし、第２ロック部６を嵌合穴としたが、第１ロック部５及び第２ロック部６のそれぞれの形状は他の形状であっても良い。例えば、第１ロック部５を嵌合穴として、第２ロック部６を嵌合突起部としても良い。
【００４７】
また、保持部２の代わりに、バンドタイプの保持部を使用しても良い。このバンドタイプの保持部には、バンド部と、当該バンド部と係止する係止穴を有するバンド係止部とが設けられている。バンド部をワイヤーハーネス１００に巻き付けた後、当該バンド部をバンド係止部の係止穴に挿入してそれに係止させることによって、保持部２と同様にワイヤーハーネス１００を保持することができる。
【符号の説明】
【００４８】
１  クリップ
２  保持部
３  基部
４  脚部
５  第１ロック部
６  第２ロック部
４３，４４  くびれ
１００  ワイヤーハーネス
２００  取付対象部材
２０１  取付貫通孔
３００  対向部材
４００  隙間
４２０  Ｒ曲面
【図１】
0005910281.tif 000002
【図２】
0005910281.tif 000003
【図３】
0005910281.tif 000004
【図４】
0005910281.tif 000005
【図５】
0005910281.tif 000006
【図６】
0005910281.tif 000007
【図７】
0005910281.tif 000008
【図８】
0005910281.tif 000009
【図９】
0005910281.tif 000010
【図１０】
0005910281.tif 000011
【図１１】
0005910281.tif 000012
【図１２】
0005910281.tif 000013
【図１３】
0005910281.tif 000014